(57)【要約】【課題】送電線に取り付けられた状態で、アースとの接続の有無を切り替えられるようにしたアースフックを提供する。【解決手段】アースフック１は、長尺状の操作棒２と、操作棒２の操作で電線路としての送電線Ｓを挟持する挟持部３と、アース線４０が接続される端子部４と、挟持部３と端子部４との間の導通と非導通が、操作棒２に設けられた操作部材５０の操作で切り替えられる導通切替機構５を備え、アースフック１を送電線Ｓから外すことなく、送電線ＳとアースＥとの接続の有無を切り替えられるようにする。導通切替機構５は、挟持部３と端子部４が非導通の状態で、所定値を超えるような電圧が印加されると、電流を流せるように構成され、送電線Ｓとアースとの接続を切り離した状態で、送電線Ｓに所定値を超える電圧が印加した場合には、アースへ電流を流せるようにする。【選択図】図１
2012239363.tif 000002
【特許請求の範囲】
【請求項１】
電気的に絶縁された長尺状の操作棒と、
前記操作棒の操作で電線路を挟持する挟持部と、
アース線が接続される端子部と、
前記挟持部と前記端子部との間の導通と非導通が、前記操作棒に設けられた操作部材の操作で切り替えられる導通切替機構と
を備えたことを特徴とするアースフック。
【請求項２】
前記導通切替機構は、前記挟持部と前記端子部が非導通の状態で、所定値を超える電圧が印加で電流を流す導通切替部を備えた
ことを特徴とする請求項１に記載のアースフック。
【請求項３】
前記導通切替機構は、非導通の状態で電流が流れる耐電圧の値が、前記操作部材の操作で切り替えられる
ことを特徴とする請求項２に記載のアースフック。
【請求項４】
前記導通切替部は、所定値以下の電圧の印加では絶縁状態を保ち、印加される電圧が所定値を超えると導通状態に切り替わる特性を持つ半導電部材を備えた
ことを特徴とする請求項２または請求項３に記載のアースフック。
【発明の詳細な説明】
【技術分野】
【０００１】
本発明は、送電線等の電線路に誘起する誘導電流を大地側に逃がすためのアースフックに関する。
【背景技術】
【０００２】
送電線等の電線路についての点検や電気工事においては、安全のため工事箇所を停電状態にして作業が行われる。変電所等の電力設備における停電作業時には、誘導電圧や残留電荷等による電気流入を防止して、電線路に誘起する誘導電流から作業者を保護するために、電線路を接地して作業が行われる。この電線路の接地には、アースフックと称される作業用の接地棒が使用される（例えば、特許文献１参照）。
【０００３】
アースフックは、長尺状の操作棒の上端に送電線等を挟持する挟持フックが設けられると共に、挟持フックにアース線が接続される構成である。アースフックは、操作棒を持って挟持フックを送電線に取り付けると共に、アース線を大地側に接続することで、送電線とアースが接続されて、送電線に流れる電流を大地に逃がすことができるようになっている。
【先行技術文献】
【特許文献】
【０００４】
【特許文献１】特開２０１０−０３５３０５号公報
【発明の概要】
【発明が解決しようとする課題】
【０００５】
変電所等の電力設備における停電作業時に、測定試験等のために、一時的に送電線をアースから切り離す必要が生じる場合がある。従来、測定試験時にはアースフックを一時的に送電線から外し、試験終了後に再度アースフックを送電線に取り付ける作業を行っていた。
【０００６】
しかし、アースフックの操作棒は、数ｍ程度の長さがあり、送電線に対する一時的な取外作業及び取付作業は容易な作業ではない。また、アースフックの着脱の際、周辺機器に接触するおそれもあり、作業効率が低下する。
【０００７】
本発明は、このような課題を解決するためなされたもので、送電線に取り付けられた状態で、アースとの接続の有無を切り替えられるようにしたアースフックを提供することを目的とする。
【課題を解決するための手段】
【０００８】
上述した課題を解決するため、本発明は、電気的に絶縁された長尺状の操作棒と、操作棒の操作で電線路を挟持する挟持部と、アース線が接続される端子部と、挟持部と端子部との間の導通と非導通が、操作棒に設けられた操作部材の操作で切り替えられる導通切替機構とを備えたアースフックである。
【０００９】
本発明では、挟持部と端子部との間を導通状態として、挟持部を電線路に取り付けると共に、アース線を大地側に接続することで、電線路とアースが接続されて、送電線に流れる電流を大地に逃がすことができるようになる。
【００１０】
停電作業時に、測定試験等のため一時的に電線路をアースから切り離す場合、操作部材の操作で挟持部と端子部との間を非導通状態に切り替えて、電線路をアースから切り離し、測定終了後、操作部材の操作で挟持部と端子部との間を導通状態に切り替えて、電線路をアースに接続する。
【発明の効果】
【００１１】
本発明では、アースフックを電線路から外すことなく、電線路とアースとの接続の有無を切り替えることができる。これにより、機器点検等の作業に伴うアースフックの付け外しの回数が低減され、作業効率の効率化及び迅速化を図ることができる。また、アースフックを電線路に取り付けた状態で、電線路とアースとの接続の有無を容易な操作で確実に切り替えることができるので、作業の安全性が向上する。
【図面の簡単な説明】
【００１２】
【図１】本実施の形態のアースフックの一例を示す断面図
【図２】本実施の形態のアースフックの一例を示す断面図
【図３】本実施の形態のアースフックの一例を示す外観側面図
【図４】半導電層を構成する酸化亜鉛素子の導電特性を示すグラフ
【発明を実施するための形態】
【００１３】
以下、図面を参照して、本発明のアースフックの実施の形態について説明する。
【００１４】
＜本実施の形態のアースフックの構成例＞
図１及び図２は、本実施の形態のアースフックの一例を示す断面図であり、図１は、アースから切り離される非導通状態を示し、図２は、アースと接続される導通状態を示す。また、図３は、本実施の形態のアースフックの一例を示す外観側面図である。
【００１５】
本実施の形態のアースフック１は、長尺状の操作棒２と、操作棒２の操作で電線路としての送電線Ｓ（Ｓ１、Ｓ２）を挟持する挟持部３と、アース線４０が接続される端子部４と、挟持部３と端子部４との間の導通と非導通が、操作棒２に設けられた操作部材５０の操作で切り替えられる導通切替機構５を備え、アースフック１を送電線Ｓから外すことなく、送電線ＳとアースＥとの接続の有無を切り替えられるようにする。
【００１６】
また、導通切替機構５は、挟持部３と端子部４が非導通の状態で、所定値を超えるような電圧が印加されると、電流を流せるように構成され、非導通の状態でも電流が流れる耐電圧の値が、操作部材５０の操作で切り替えられるようにすることで、送電線ＳとアースＥとの接続を切り離した状態で、送電線Ｓに所定値を超える電圧が印加した場合には、アースへ電流を流せるようにする。
【００１７】
ここで、電線路とは、電力を供給する送電線及び鉄塔、碍子等の支持物、付帯設備を含み、誘導電流が誘起する可能性のある一連の電力設備を意味する。
【００１８】
操作棒２は、電気的に絶縁された部材で構成され、直線状に延在する形態を有する。操作棒２は、延在方向の一方の端部、使用形態では上側となる端部に挟持部３が取り付けられ、延在方向の他方の端部、使用形態では下側となる端部に、挟持部３と電気的に絶縁され、作業者が把持して操作可能な操作把持部２０が設けられる。
【００１９】
挟持部３は、導電率の高い部材で構成され、送電線Ｓを挟持する挟持フックを備える。本例では、異なる外径の送電線Ｓを挟持可能とするため、送電線Ｓ１の外径に応じた曲率で構成される第１の挟持フック３０ａと、送電線Ｓ１より径が細い送電線Ｓ２の外径に応じた曲率で構成される第２の挟持フック３０ｂを備える。
【００２０】
挟持部３は、本例では操作把持部２０を把持して操作棒２を延在方向に対して軸周りに回転させる動作で、第１の挟持フック３０ａと第２の挟持フック３０ｂが開閉する機構を有する。
【００２１】
端子部４は、導電率が高い部材で構成され、操作棒２の外周側に設けられる。端子部４は、アース線４０が接続可能な構成で、操作棒２の軸周り方向に回転可能に支持されることで、送電線Ｓに誘起する誘導電流を大地側に逃がすアース線４０が、操作棒２の軸周り方向の向きによらず、任意の方向から引き出し可能に構成される。
【００２２】
導通切替機構５は、挟持部３を支持する第１の導電部５１と、端子部４を支持する第２の導電部５２と、操作部材５０の操作で変位して第１の導電部５１と第２の導電部５２との間の導通と非導通を切り替える導通切替部５３を備える。
【００２３】
第１の導電部５１は、導電率の高い部材で構成され、挟持部３の第１の挟持フック３０ａ及び第２の挟持フック３０ｂと導通する。第１の導電部５１は、操作棒２の一方の端部に取り付けられ、操作棒２の操作を挟持部３に伝達して、第１の挟持フック３０ａ及び第２の挟持フック３０ｂを開閉する機構が設けられる。
【００２４】
また、第１の導電部５１は、操作部材５０の操作を導通切替部５３の変位に変換する機構として、操作棒２の延在方向に沿ったネジ穴部５１ａが、操作棒２の内部で導通切替部５３に対向する面である下面に設けられる。
【００２５】
第２の導電部５２は、導電率の高い部材で構成され、端子部４と導通する。第２の導電部５２は、操作棒２の内部に取り付けられ、操作棒２の軸周り方向に沿って形成される溝部２ａに、端子部４を回転可能に支持する。第２の導電部５２と端子部４の摺動面には、グリス等の潤滑部材を塗布して摩擦を低減させる。あるいは、ベアリングで支持する構成としても良い。
【００２６】
第２の導電部５２は、第１の導電部５１のネジ穴部５１ａと同軸上に、操作棒２の延在方向に沿った貫通穴５２ａが設けられる。また、第２の導電部５２は、操作棒２の内部で導通切替部５３に対向する面である上面に、導通切替部５３と導通する導通凸部５２ｂが設けられる。導通凸部５２ｂは、貫通穴５２ａの開口の周囲に、貫通穴５２ａ及び第１の導電部５１のネジ穴部５１ａと同心で、円筒状の凸部を設けて構成される。
【００２７】
導通切替部５３は、円柱状の部材が組み合わせられた形状を有し、導電率の高い部材で構成され、操作部材５０の操作を導通切替部５３の変位に変換する機構として、第１の導電部５１のネジ穴部５１ａと同心でネジ穴部５１ａの軸方向に沿ったネジ部５３ａが、操作棒２の内部で第１の導電部５１と対向する面である上面に設けられる。また、操作棒２の内部で第２の導電部５２と対向する面である下面に、第２の導電部５２と導通する導通溝部５３ｂが設けられる。導通切替部５３は、操作棒２の内側で回転動作を行う。このため、導通切替部５３と操作棒２の摺動面には、グリス等の潤滑部材を塗布して摩擦を低減させる。あるいは、ベアリングで支持する構成としても良い。
【００２８】
ネジ部５３ａは、第１の導電部５１のネジ穴部５１ａと同径及び同ピッチで構成される。導通溝部５３ｂは、ネジ部５３ａと同心で、第２の導電部５２の導通凸部５２ｂが挿入される円筒状の凹部を設けて構成される。導通溝部５３ｂと導通凸部５２ｂの摺動面には、グリス等の潤滑部材を塗布して摩擦を低減させる。
【００２９】
導通切替部５３は、挟持部３と端子部４との間の導通状態と非導通状態を切り替えると共に、非導通状態でも電流が流れる耐電圧を切り替える手段として、導通溝部５３ｂと導通した導電層５４ａと、印加電圧の高低で絶縁状態と導通状態が切り替わる特性を持つ半導電層５４ｂが、ネジ部５３ａの軸方向に沿って設けられる。
【００３０】
導通切替部５３は、導通溝部５３ｂが形成される部位とネジ部５３ａが本例では一体に形成されて、導通溝部５３ｂが形成される部位と一体で、ネジ部５３ａの下端側に導電層５４ａが設けられ、導電層５４ａと導通溝部５３ｂが導通する。また、導通切替部５３は、ネジ部５３ａの軸方向に沿った導電層５４ａの上側に、導電層５４ａと接して半導電層５４ｂが設けられる。
【００３１】
半導電層５４ｂは、本例では酸化亜鉛素子（ZnO）で構成される。図４は、半導電層を構成する酸化亜鉛素子の導電特性を示すグラフである。酸化亜鉛素子は、所定の電圧Ｖ１、本例では試験電圧程度の電圧の印加では絶縁状態を保ち、電圧Ｖ１より大きい電圧Ｖ２を越えると電流が流れ、所定の電圧Ｖ３、本例では系統電圧に近い電圧の印加で導通状態に切り替わる特性を持つ。これにより、試験電圧程度の電圧の印加では、半導電層５４ｂから導電層５４ａに電流は流れず、系統電圧に近い電圧が印加されると、半導電層５４ｂと導電層５４ａが導通した状態となって電流が流れる。
【００３２】
導通切替部５３は、操作部材５０と電気的に絶縁された状態で、シャフト５５によって操作部材５０と連結される。操作部材５０は、電気的に絶縁された部材で構成され、操作棒２の延在方向の他方の端部、使用形態では下側となる端部に、操作棒２と独立した形態で設けられる。
【００３３】
シャフト５５は、導通切替部５３のネジ部５３ａと同心でネジ部５３ａの軸方向に沿って延在し、操作棒２及び第２の導電部５２の貫通穴５２ａに通されることで、ネジ部５３ａの軸周り方向に回転可能で、かつ、ネジ部５３ａの軸方向に沿って移動可能に支持される。シャフト５５と操作棒２との摺動面、及びシャフト５５と第２の導電部５２との摺動面には、グリス等の潤滑部材を塗布して摩擦を低減させる。あるいは、ベアリングで支持する構成としても良い。
【００３４】
シャフト５５は、延在方向に沿った一方の端部である上端に導通切替部５３が取り付けられ、他方の端部である下端に操作部材５０が取り付けられ、操作部材５０の操作がシャフト５５で導通切替部５３に伝達される。
【００３５】
導通切替部５３は、ネジ部５３ａが第１の導電部５１のネジ穴部５１ａに挿入されて、ネジ部５３ａの軸周り方向に回転可能に構成される。導通切替部５３は、操作棒２の軸周り方向に操作部材５０を回す動作がシャフト５５で伝達され、ネジ部５３ａの軸周り方向の回転によって、ネジ部５３ａの軸方向に変位する。
【００３６】
導通切替部５３は、ネジ部５３ａの回転方向に応じて、ネジ部５３ａが第１の導電部５１のネジ穴部５１ａに対して挿抜される方向に変位する。本例では、導通切替部５３は、操作部材５０を左回り方向に回転させることで、ネジ部５３ａが第１の導電部５１のネジ穴部５１ａから抜ける方向に変位し、操作部材５０を右回り方向に回転させることで、ネジ部５３ａが第１の導電部５１のネジ穴部５１ａに挿入される方向に変位する。
【００３７】
これにより、操作部材５０を回転させることで、導通切替部５３のネジ部５３ａに設けられた導電層５４ａが、第１の導電部５１のネジ穴部５１ａに接するか、半導電層５４ｂがネジ穴部５１ａに接するか、及び半導電層５４ｂのネジ穴部５１ａに接する長さが切り切り替えられる。
【００３８】
また、導通切替部５３の導通溝部５３ｂと、第２の導電部５２の導通凸部５２ｂは、導通切替部５３のネジ部５３ａ及び第１の導電部５１のネジ穴部５１ａと同心であり、導通溝部５３ｂに導通凸部５２ｂが挿入された状態で、導通切替部５３はネジ部５３ａの軸周りに回転可能である。
【００３９】
更に、導通切替部５３と第２の導電部５２は、導通溝部５３ｂに導通凸部５２ｂが挿入された状態で、導通切替部５３がネジ部５３ａの軸方向に沿って変位し、導通切替部５３と第２の導電部５２の導通状態が保持される。
【００４０】
導通切替機構５では、導通切替部５３のネジ部５３ａに設けられた導電層５４ａが、第１の導電部５１のネジ穴部５１ａに接する状態であると、挟持部３と端子部４との間が導通状態となる。
【００４１】
これに対し、操作部材５０の回転操作による導通切替部５３の変位で導電層５４ａがネジ穴部５１ａから抜け、導通切替部５３のネジ部５３ａに設けられた半導電層５４ｂを介して接続される状態とすると、所定値以下の電圧の印加では、半導電層５４ｂから導電層５４ａに電流は流れず、挟持部３と端子部４との間が非導通状態となる。
【００４２】
半導電層５４ｂを構成する酸化亜鉛素子は、所定値以下の電圧の印加では絶縁状態を保ち、印加される電圧が所定値を超えると導通状態に切り替わる特性を持つ。そして、導通切替機構５では、導通切替部５３の半導電層５４ｂが、第１の導電部５１のネジ穴部５１ａに接する長さにより、非導通状態でも電流が流れる耐電圧が切り替えられる。
【００４３】
これにより、操作部材５０の回転操作による導通切替部５３の変位で、半導電層５４ｂがネジ穴部５１ａに接する状態として、挟持部３と端子部４との間を非導通状態とすると、所定の低電圧では絶縁状態が保たれ、高電圧では導通状態になる。また、電流が流れるようにする耐電圧を、操作部材５０の回転操作による導通切替部５３の変位量で任意に調整可能となる。
【００４４】
アースフック１は、状態を作業者に報知する構成として、半導電層５４ｂの外周面が、導電層５４ａと区別できるように視認を容易とする色、パターンで着色されると共に、半導電層５４ｂを視認可能とする状態表示窓２ｂが、操作棒２に設けられる。
【００４５】
操作部材５０の回転操作による導通切替部５３の変位で、導通切替部５３のネジ部５３ａが第１の導電部５１のネジ穴部５１ａに対して挿抜されると、第１の導電部５１からの半導電層５４ｂの突出量が変化することで、導通状態と非導通状態が切り替えられると共に、導通切替部５３の変位量に応じて、非導通状態でも電流が流れる耐電圧が切り替えられる。
【００４６】
そこで、半導電層５４ｂを視認可能とする状態表示窓２ｂを操作棒２に備えることで、状態表示窓２ｂから視認できる半導電層５４ｂの突出量で、導電層５４ａが第１の導電部５１のネジ穴部５１ａに接するか、半導電層５４ｂがネジ穴部５１ａに接するか、及び半導電層５４ｂのネジ穴部５１ａに接する長さが確認可能となり、導通状態と非導通状態が切り替えられたこと、及び、非導通状態でも電流が流れる耐電圧が作業者に報知可能となる。
【００４７】
また、アースフック１は、状態を作業者に報知する構成として、操作部材５０の回転量を視認可能とする目盛２ｃを操作部材５０に備えると共に、目盛２ｄを操作棒２に備える。上述したように、操作部材５０の回転操作で導通切替部５３が変位し、導通状態と非導通状態が切り替えられると共に、導通切替部５３の変位量に応じて、非導通状態でも電流が流れる耐電圧が切り替えられる。
【００４８】
そこで、操作部材５０の回転量を視認可能とする目盛２ｃを操作部材５０に備えると共に、目盛２ｄを操作棒２に備えることで、操作部材５０の回転量によっても、導通状態と非導通状態が切り替えられたこと、及び、非導通状態でも電流が流れる耐電圧が作業者に報知可能となる。
【００４９】
なお、操作部材５０の回転操作による導通切替部５３の変位で、操作棒２からのシャフト５５の突出量が変化する。そこで、シャフト５５の突出量を視認可能とする目盛をシャフト５５等に備えることとしても良い。
【００５０】
＜本実施の形態のアースフックの使用例＞
次に、各図を参照して、本実施の形態のアースフックの使用例について説明する。アースフック１の使用時には、挟持部３と端子部４との間を導通状態とするため、図２に示すように、導通切替機構５において、導通切替部５３のネジ部５３ａに設けられた導電層５４ａと、第１の導電部５１のネジ穴部５１ａが接する状態とする。
【００５１】
本例では、操作部材５０の回転操作による導通切替部５３の変位で、状態表示窓２ｂに半導電層５４ｂが見えない状態とすると共に、操作部材５０と操作棒２との間に隙間がなく、かつ、操作部材５０の目盛２ｃと操作棒２の目盛２ｄが合致する位置とすると、導電層５４ａとネジ穴部５１ａが接する状態となり、挟持部３と端子部４との間が導通状態となる。
【００５２】
このように、操作棒２に設けた状態表示窓２ｂ、及び操作部材５０の目盛２ｃと操作棒２の目盛２ｄによって、挟持部３と端子部４との間が導通状態にあることを確実に確認できる。
【００５３】
送電線Ｓ等の電線路において、点検あるいは電気工事を行う場合、工事箇所を停電状態にする。次に、アースフック１を送電線Ｓに取り付け、送電線Ｓに誘起する誘導電流から作業者を保護する。
【００５４】
アースフック１の取り付けは、操作棒２の操作把持部３０を持ち、送電線Ｓの外形に応じて第１の挟持フック３０ａまたは第２の挟持フック３０ｂを送電線Ｓに掛け、本例では操作棒２を回転させる動作で、第１の挟持フック３０ａまたは第２の挟持フック３０ｂで送電線Ｓを挟持する。また、端子部４に接続されたアース線４０を、大地に埋設された図示しないアース部材に接続する。
【００５５】
アースフック１では、挟持部３と端子部４との間を導通状態としてあるので、上述したようにアースフック１を取り付けることで、送電線Ｓが接地される。
【００５６】
さて、点検あるいは電気工事の作業の中で、絶縁抵抗測定等の測定試験のために、送電線ＳとアースＥとの接続を一時的に切り離す必要がある場合がある。アースフック１では、送電線ＳとアースＥとの接続の切り離しを、アースフック１を送電線Ｓから外すことなく、操作部材５０の操作で行える。
【００５７】
すなわち、操作部材５０の回転操作、本例では、操作部材５０を左回り方向に回転させることで、導通切替部５３は、図１に示すように、ネジ部５３ａが第１の導電部５１のネジ穴部５１ａから抜ける方向に変位し、導電層５４ａがネジ穴部５１ａから抜けて第１の導電部５１と非接触となり、半導電層５４ｂを介して第１の導電部５１と接続される。
【００５８】
導通切替機構５において、第１の導電部５１と導通切替部５３が半導電層５４ｂを介して接続される状態では、状態表示窓２ｂに半導電層５４ｂが見える状態で、操作部材５０と操作棒２との間に隙間が形成され、かつ、操作部材５０の目盛２ｃと操作棒２の目盛２ｄがずれる。
【００５９】
これにより、操作部材５０の回転操作による導通切替部５３の変位で、挟持部３と端子部４との間を非導通状態として、送電線ＳとアースＥとの接続を切り離すことができ、アースフック１を送電線Ｓから一時的に外す作業を排除することができる。すなわち、導通切替部５３の導電層５４ａがネジ穴部５１ａから抜けて半導電層５４ｂを介して接続された状態とすると、半導電層５４ｂが所定の低電圧では絶縁状態を保つので、挟持部３と端子部４との間が非導通状態となる。本例では、絶縁抵抗を測定する試験電圧程度の電圧Ｖ１の印加では絶縁状態を保ち、送電線ＳとアースＥとの接続が切り離された状態となるように構成される。
【００６０】
一方、送電線Ｓに系統電圧に近い電圧Ｖ３が印加されるような事象が発生した場合、半導電層５４ｂが導通状態となり、半導電層５４ｂを介して第１の導電部５１から導通切替部５３及び第２の導電部５２へ電流が流れる状態となって、送電線Ｓを挟持する挟持フックが設けられた挟持部３と、アース線４０が接続される端子部４が導通状態となる。これにより、所定の高電圧が印加されるような状態では、送電線Ｓの電流を大地側に逃がすことができる。
【００６１】
また、挟持部３と端子部４との間を非導通状態としたときに、電流が流れるようにする耐電圧は、操作部材５０の回転操作による導通切替部５３の変位量で任意に調整可能であり、耐電圧の値が、状態表示窓２ｂから見える半導電層５４ｂの量、及び、操作棒２の目盛２ｄに対する操作部材５０の目盛２ｃの変位量で確認可能である。これにより、送電線Ｓにアースフック１を取り付けた状態で、アースから切り離す作業を行う際に、耐電圧の設定及び確認を、容易かつ確実に行うことができる。
【００６２】
ここで、以上の実施の形態では、導通切替部に半導電層を設けて所定の低電圧では絶縁状態を保ち、高電圧では導通状態にすると共に、耐電圧の調整を可能としたが、別の例として、気体による放電ギャップを利用する構成としても良い。また、半導電層がネジ穴部から完全に抜けるようにして、非導通状態では電流を流さない構成とすることもできる。
【産業上の利用可能性】
【００６３】
本発明は、長尺状の操作棒に挟持フックが取り付けられて、高所の送電線等に接続されるアースフックに適用される。
【符号の説明】
【００６４】
１・・・アースフック、２・・・操作棒、２ａ・・・溝部、２ｂ・・・状態表示窓、２ｃ・・・目盛、２ｄ・・・目盛、３・・・挟持部、３０ａ・・・第１の挟持フック、３０ｂ・・・第２の挟持フック、４・・端子部、４０・・・アース線、５・・・導通切替機構、５０・・・操作部材、５１・・・第１の導電部、５１ａ・・・ネジ穴部、５２・・・第２の導電部、５２ａ・・・貫通穴、５２ｂ・・・導通凸部、５３・・・導通切替部、５３ａ・・・ネジ部、５３ｂ・・・導通溝部、５４ａ・・・導電層、５４ｂ・・・半導電層、５５・・・シャフト
【図１】
2012239363.tif 000003
【図２】
2012239363.tif 000004
【図３】
2012239363.tif 000005
【図４】
2012239363.tif 000006